(57)【特許請求の範囲】
【請求項１】
ストラップ通路に容易にアクセス可能なストラッピングマシンであって、
ストラップ通路を有するヘッドと、
前記ヘッドのフェースから外部に延びる少なくとも１つの配列ピンと、
前記ストラッピングマシンに回転可能な状態で装着されるカバーとを備え、第一閉鎖位置において前記カバーは前記ストラッピングマシンの保護外部要素と前記ストラップ通路用の外部案内表面とを構成し、回転された第二開放位置において前記カバーは前記ストラップ通路へのアクセスを可能にさせ、前記カバーは、前記カバーが前記閉鎖位置にあるときに前記ストラップ通路の周りを覆うように前記カバーを配置するために前記少なくとも１つの配列ピンと協働する少なくとも１つの配列ピン用開口を含み、
前記カバーを該ストラッピングマシンのテイクアップボックスカバーに回転可能に取付けるヒンジを更に具備したストラッピングマシン。
【請求項２】
前記ストラップ通路は、蓄積ボックスとストラップゲートと巻取り器と供給ホイールとテイクアップホイールとを含む複数の要素を備える請求項１に記載のストラッピングマシン。
【請求項３】
前記カバーは、前記カバーが閉鎖位置に回転されたときにストラップ通路の正確に配置された要素が露出する複数の開口を形成する請求項１に記載のストラッピングマシン。
【請求項４】
前記ヘッドは、前記カバーが第一閉鎖位置にあるときには前記カバー内に形成される一対の開口と噛合って協働するための一対の配列ピンを含む請求項１に記載のストラッピングマシン。
【請求項５】
前記ストラッピングマシンに回転可能な状態で装着されるカバーを有する上部ストラップ通路を含み、前記カバーは第一閉鎖位置において保護外部要素と前記上部ストラップ通路用の案内表面とを構成し、前記カバーは回転された第二開放位置において前記上部ストラップ通路へのアクセスを可能にさせる請求項１に記載のストラッピングマシン。
【発明の詳細な説明】
【０００１】
【発明の属する技術分野】
本発明は、ストラッピングマシンのストラップ通路へのアクセスを提供し且つストラップ通路の部品要素を提供する新規の組立体に関する。
【０００２】
【従来の技術】
ストラッピングマシンは、リールからストラップ材料が締結されるべき物体周りに配置されるヘッドにストラップを移動させるように結合する部分の複雑な組立体である。これらのストラッピングマシンは複雑であり締結工程で破片が生成されることとストラップ材料がマシンを通過して運搬する速度が大きいこととにより、メンテナンスとクリーニングとのために頻繁にストラップ通路にアクセスする必要性がある。
【０００３】
現在最も使用されているストラップマシンでは、ストラップ通路へのアクセスの際、通常、ハウジングパネルを分離しキーストラップ通路の部品を取外し又は交換することが困難である。またマシンは、ストラップ破片や詰まりの掃除がなされる場合もある。また締結を再開する前に部品を注意深く配置し、再組立てしなければならない。このような分解と再組立とは、通常、ストラッピングマシンが詰まった際に必要とされ、締結工程に使用される材料と締結がなされる量とに応じて、ストラッピングマシンは頻繁に破片を掃除する必要がある。ストラップ通路部品がずれて配置されると、さらに詰まり、ストラッピングマシンをより細かく分解することが必要となる。一般に、ストラッピングマシンは複雑であるために、組立及び分解は多くの時間を要し締結工程を大きく遅延させる。
【０００４】
Ｂｅｌｌ氏等に付与された米国特許第５．７４６，８８２号は、ストラップ通路ドアがストラップ通路（ストラッピングヘッド等）の内部の種々の部品にアクセスさせるために回転運動するように形成される１つの配置を開示する。Ｂｅｌｌ氏等により開示されたアクセス通路器具は所定目的に良く作用するが、アクセスドアは構造的部材すなわちストラッピングヘッドに直接装着され、該アクセスドアは単一又は複数のヒンジカラーがストラッピングヘッドの構造の一部として形成されることが必要である。このストラッピングヘッドの構造の一部は、鋳造又は他の高価な部品（精巧に機械加工された部品等）であるので、ヒンジ組立体も同様に高価な組立体である。
【０００５】
コスト対効果の高い方法により、パネルと部品とを分解することなくストラップ通路にアクセスさせ且つ掃除できるストラッピングマシンを設けることが好ましい。さらに、ストラップ通路の主要な部品を分解する又はハウジングパネルを取外す必要なくストラッピングマシンから破片を掃除することができることが望ましい。
【０００６】
【課題を解決するための手段】
本発明によれば、容易にストラップ通路にアクセスできるストラッピングマシンが提供される。ストラッピングマシンは、ストラッピングマシンに回転可能な状態で取付けられ、ストラップ通路と第一カバーとを形成するヘッドを備える。第一カバーは、第一閉鎖位置において該第一カバーがストラッピングマシンの保護外部要素を構成し且つストラップ通路のための外部案内要素を提供し、回転された第二開放位置において第一カバーはストラップ通路にアクセスできるように取付けられる。
【０００７】
本発明の好ましい実施形態では、第一カバーは、ストラッピングマシンハウジングの外部非構造パネル（the outer, non-structural panel）であるテイクアップボックスカバーにヒンジ留めされ、ストラップ通路にアクセスできるように下方回転させることもできる。テイクアップボックスカバーはストラッピングマシンの構造部材でないので、第一ドアをストラッピングマシンに装着するように使用されるヒンジは、鋳物又はこれに類似する精巧に機械加工され又は工作された部分である必要はない。むしろ、ヒンジは、ピアノヒンジ又はこれに類似する物等の比較的一般の部品から製造可能である。
【０００８】
さらにストラップ通路は、複数のストラップ通路部品の外部要素を備える。カバーは、ヒンジ留めされ、ストラップ通路の部分を露出させるように容易に下方回転され、その後、締結工程を再開できるようにストラップ通路の構成要素の外部要素を配置させるように初期位置に後方回転される。さらに本発明のストラッピングマシンは、ヒンジ留めされ且つストラップ通路を掃除できるように下方回転可能である上部ガイドストラップカバーを有する、上部ストラップガイドを備える。第一デフォルト位置（第一標準位置）において上部ガイドカバーは、上部ストラップ通路の要素を提供する。
【０００９】
本発明の好ましい実施形態では、ストラップ通路カバーは、供給ホイール回転軸、ストラップゲート、巻取り器部分及び配列ピンのような要素が突出可能な複数の開口を形成する。このように、外部供給ホイールガイド、外部巻取り器の壁及びストラップゲートは、ストラップ通路カバーの内部壁により形成可能である。そしてストラップ通路カバーは、ストラップ通路から下方回転され、ストラップ材料又は破片がストラップ通路とストラップ通路の内部とから除去できるように供給ホイール、巻取り器及びストラップゲートの要素を分割する。さらに、ストラップ通路要素のメンテナンスは、ストラップ通路カバーが開放位置にあるときに実行される。カバーが第一位置に後方回転されたときに、カバー内に形成される開口を通って突出するストラップの種々の要素と配列ピンとは、ストラップ通路カバーと該カバーにより形成される要素とを適当な配置に迅速に戻させる。また、上部通路ガイドは、破片と詰まりと除去するために上部ストラップ通路にアクセスできるようにストラップ通路カバーから独立して回転可能である。上部ガイドは、該ガイドを第一位置に後方回転させることによりストラップ通路を元の配置に戻させる上部通路要素と配列ピンとのための開口を形成する。
【００１０】
本発明は、以下の記載と特許請求の範囲との中でより詳細に説明され、添付図面で示される。
【００１１】
【発明の実施の形態】
図面を参照すれば、図１は、第一位置においてヒンジ１４によりストラッピングマシン１０に回転可能な状態で結合されたストラップ通路用アキュムレータドア１２と、回転式ロック要素又はレバー１６とを有するストラッピングマシン１０を示す。アキュムレータドア１２は、供給ホイール軸２０、巻取り器２２及びストラップゲート要素２４等の要素部分が突出可能な複数の開口１８を形成する。さらに、アキュムレータドア１２は、配列ピン２６（図２、３、４参照）が突出できる配列開口１９を形成する。アキュムレータドア１２が閉鎖位置に回転されたときにアキュムレータドア１２の内部壁１３（図２）は、種々のストラップ通路部品用の端部要素を構成することが判る。このように形成された端部要素は、ストラッピングマシン１０のヘッド１１を通過して移動するストラップ材料のためのガイダンス又は通路を構成する。また第二カバーとしての上部ストラップガイドカバー２８が、図１に示されており、以下より詳細に説明される。
【００１２】
アキュムレータドア１２は、第一カバーとしてストラッピングマシン１０の非構造部分に装着される。現行の実施形態では、ドアは、テイクアップボックスカバー１５に装着される。アクセスドアがストラッピングヘッド等の構造部材に装着される公知のマシンと異なり、例えばテイクアップボックスカバー１５へのアキュムレータドア１２の非構造的な（non-structural）装着配列では、図示されたピアノヒンジ１４等の安価な汎用ヒンジが使用できる。
【００１３】
これより高価な鋳造の（cast-in-place）及び／又は機械加工のヒンジでは、鋳造及び／又は機械加工の誤差が比較的小さい従来ヒンジの組立体によりストラッピングヘッドの上にアキュムレータドア１２に必要な配置が設けられる。同様に本アキュムレータドア１２は、該アキュムレータドア内で開口１９の中に噛合い又は延びるヘッド１１から外部に延びる配列ピン２６を使用することによりヘッド１１の周りを覆ってこの必要な配置が設けられる。
【００１４】
図２は、ストラップ通路にアクセス可能な開放位置におけるストラップ通路用アキュムレータドア１２を有する図１のストラッピングマシンを示す。レバー１６は、ヒンジ１４周りで下方回転されるようにアキュムレータドア１２と供に下方回転されることが判る。アキュムレータドア１２の開放に伴い供給ホイール３０、巻取り器３２及びストラップゲート３４（図１、２参照）のような要素は、アキュムレータドア１２の取外しにより露出されることが特に図２、３、４で示される。上記要素を通過するストラップ通路の内部が露出されるようにカバーが外されると、破片又はストラップ材料は容易に除去される。
【００１５】
図３、４を参照すれば、さらに上部ストラップガイドカバー２８がテイクアップホイール３６と上部ストラップ通路３８との一方を覆うように設けられる。上部ストラップガイドカバー２８は、テイクアップホイール３６に通過するストラップ通路３８を露出するために下方回転（図４参照）できるようにヒンジ留めされる。さらに、上部ストラップガイドカバー２８は、図示しないばね用の開口４０と、それぞれピン４４ａ、４４ｂを配置するための開口４２ａ、４２ｂと、テイクアップホイール３６のリムが突出できるスロット４６とを含む複数の開口を形成する。開口４２ａ、４２ｂは、テイクアップホイール３６と上部ストラップガイドカバー２８とにより形成されるストラップ通路が適切に働くように上部ストラップガイドカバー２８を正確に配置するための手段を提供する。
【００１６】
図５は、ルーズピン５２、上部ストラップガイドカバー２８、ワッシャ５６によりストラップ通路用アキュムレータドア１２に可動状態で取付けられる浮動ストラップガイド５０を示している。固定ストラップガイド５８は、テーパが付けられた配列ピン２６によりヘッド１１に取付けられ、浮動ストラップガイド５０と共にストラップ通路の一体部分を形成する。浮動ストラップガイド５０内の配列開口１９は、浮動ガイド５０を固定ガイド５８に正確に配置するように位置決めされる。浮動ガイド５０は、アキュムレータドア１２に比較的緩く取付けられるためアキュムレータドア１２が、該アキュムレータドア１２の第一の作動位置に戻されたときにテーパが付けられた配列ピン２６に配置するように非固定である。ガイド５０が浮動し配列ピン２６に配置されることができることにより、アキュムレータドア１２が閉鎖した状態で浮動ガイド５０の正確な位置が保証され、ストラップ通路は適当に形成される。
【００１７】
ストラッピングマシン１０の作動において、詰まりが発生したとき又は所定の掃除がなされたときに、ストラッピングマシン１０は停止し、レバー１６はアキュムレータドア１２を開放するように押し下げることができる。そしてストラップ通路用アキュムレータドア１２は、ヒンジ１４周りに下方回転され、ストラッピングマシン１０のストラップ通路を露出する。アキュムレータドア１２の下方回転により、アキュムレータドア１２の部分である種々のストラップ通路の端部要素が取外され、従ってストラップ通路にアクセスできる。ストラップ通路へのアクセスにより、ユーザは破片を掃除でき且つストラップ通路からストラップを解放させることができ、一般的なメンテナンスのために磨耗部分を交換しストラップ通路の要素に潤滑油を注すことができる。ストラップ通路が掃除され及び／又はストラップ通路の要素が交換され、そしてメンテナンスされ又は潤滑油が注されたときに、アキュムレータドア１２はレバー１６により上方回転され、定位置に引っ込んでロックされる。アキュムレータドア１２がヒンジ１４により回転可能な状態で取付けられるので、好ましい実施形態ではアキュムレータドア１２上に形成され且つアキュムレータドア１２に装着されるストラップ通路の要素は、ストラップ通路の固定部分に配置されるように復元される。この配置はピン２６を開口１９に又は開口１９を通して噛合わすこと、すなわち挿入することによりなされる。図３、４に示すようにピン２６にテーパを付けることにより、アキュムレータドア１２が回転され又は閉鎖されるときにピン２６はそれを覆うように開口１９に適当に配置される。締結工程はアキュムレータドア１２が閉鎖された直後に再開される。上部ストラップガイドカバー２８のクリアランス（解体）とメンテナンスとは同様にして同様の結果が得られる。
【００１８】
本発明により製造される他の改良として、ストラップ通路の端部要素を備えるヒンジ留めされたアキュムレータドア１２は、ストラッピングマシン１０の蓄積ボックス（図示せず）へもアクセスさせ、その結果、余剰のストラップ材料の掃除とストラッピングマシン１０内で発生した詰まりの除去とをさせることができる。
【００１９】
本発明の実施形態が示され記載されてきたが、種々の変形例と代替例とが本発明の新規の精神と範囲とを逸脱しないで当業者により製造可能であることが理解される。
【図面の簡単な説明】
【図１】本発明のストラップ通路カバーにより覆われたストラップ通路を形成するストラッピングマシンの一部の斜視図であり、さらに上部ガイドカバーを有する上部ストラップガイドを示している。
【図２】下方回転された位置における第二ストラップ通路カバーを備える図１のストラッピングマシンの第二斜視図である。
【図３】第一デフォルト位置におけるストラップカバーを備える上部ストラップガイドの斜視図である。
【図４】第二位置に回転されたストラップカバーを備える図３のジョブストラップガイドの第二斜視図である。
【図５】ストラップ通路ガイドを露出するように図１のストラッピングマシンの部分斜視図である。
【符号の説明】
１０…ストラッピングマシン
１１…ヘッド
１２…ドア
１４…ヒンジ
１５…テイクアップボックスカバー
１６…回転式ロック要素又はレバー
１８…開口
１９…配列開口
２０…供給ホイール軸
２２…巻取り器
２４…ストラップゲート要素
２６…配列ピン
２８…上部ストラップガイド
３６…テイクアップホイール
４０…開口
４２ａ…開口
４２ｂ…開口
４４ａ…ピン
４４ｂ…ピン
４６…スロット
５０…浮動ストラップガイド
５２…ルーズピン
５４…ねじ
５６…ワッシャ
５８…固定ストラップガイド
【図１】
0004955157.tif 000002
【図２】
0004955157.tif 000003
【図３】
0004955157.tif 000004
【図４】
0004955157.tif 000005
【図５】
0004955157.tif 000006